(57)【要約】【課題】複数サービスが多重されたデジタル放送を録画し、録画したファイルを再生する録画再生装置において、視聴中サービス以外のサービスに記録不可のサービスが存在した場合、記録不可のサービスを再生できなくする録画再生装置を提供する。【解決手段】複数サービスが多重されたデジタル放送を受信し録画する録画再生装置において、無効化パケット保存部１１４を付加し、複数サービスが多重されたデジタル放送を受信し録画する際、所定のＴＳパケット以外を、無効化パケット保存部１１４に保存されている無効化パケットデータに置換して録画する。そのため、特殊な再生アルゴリズムを用いることなく、再生できる。【選択図】図１
2008061061.tif 000002
【特許請求の範囲】
【請求項１】
複数サービスが多重されたデジタル放送を受信し録画する録画再生装置において、
無効化パケットデータ保存部を付加し、前記複数サービスが多重されたデジタル放送を受信し録画する際、所定のＴＳパケット以外を、前記無効化パケットデータ保存部に保存されている無効化パケットデータに置換して録画し、再生することを特徴とする録画再生装置。
【請求項２】
複数サービスが多重されたデジタル放送を受信し録画する録画再生装置において、
無効化パケットデータ保存部を付加し、前記複数サービスが多重されたデジタル放送を受信し録画する際、所定のＴＳパケットを、前記無効化パケットデータ保存部に保存されている無効化パケットデータに置換して録画し、再生することを特徴とする録画再生装置。
【請求項３】
前記所定のＴＳパケットとして、視聴中サービスのＰＭＴと、そのＰＭＴで規定されている各ＥＳとしたことを特徴とする請求項１に記載の録画再生装置。
【請求項４】
前記所定のＴＳパケットとして、視聴中サービスのＰＭＴで規定されている各ＥＳとしたことを特徴とする請求項１に記載の録画再生装置。
【請求項５】
前記所定のＴＳパケットとして、視聴中サービス以外のＰＭＴで規定されている各ＥＳとしたことを特徴とする請求項２に記載の録画再生装置。
【請求項６】
前記所定のＴＳパケットとして、視聴中サービス以外のＰＭＴとしたことを特徴とする請求項２に記載の録画再生装置。
【請求項７】
前記所定のＴＳパケットとして、視聴中サービス以外のＰＭＴと、そのＰＭＴで規定されている各ＥＳとしたことを特徴とする請求項２に記載の録画再生装置。
【請求項８】
前記所定のＴＳパケットとして、記録不可のデジタルコピー制御記述子を有するＰＭＴのみとしたことを特徴とする請求項２に記載の録画再生装置。
【請求項９】
前記所定のＴＳパケットとして、記録不可のデジタルコピー制御記述子を有するＰＭＴと、そのＰＭＴで規定されている各ＥＳとしたことを特徴とする請求項２に記載の録画再生装置。
【請求項１０】
前記所定のＴＳパケットとして、記録不可のデジタルコピー制御記述子を有するＰＭＴで規定されている各ＥＳとしたことを特徴とする請求項２に記載の録画再生装置。
【発明の詳細な説明】
【技術分野】
【０００１】
本発明は、複数サービスが多重されたデジタル放送を受信録画し、再生を行なう録画再生装置に関する。
【背景技術】
【０００２】
特許文献１に、記録する情報量の削減を実現を目的として、複数のプログラムが多重されたＴＳパケットより１つ以上のプログラムを選択して記録する際に、選択プログラムを格納したＴＳパケットのＰＩＤ情報と、現在入力されているＴＳパケットのＰＩＤ情報とをＰＩＤ検出部３で比較し、非選択パケットを検出した場合、この検出した非選択パケットをヌルパケット生成部４でヌルパケットに変換し、かつ、変換したヌルパケットのペイロード情報をイネーブル生成部２からＴＳ制御信号１６に基づいて記録しないようにすることが開示されている。
【特許文献１】特開２００１−１６２７０号公報
【発明の開示】
【発明が解決しようとする課題】
【０００３】
複数サービスが多重されたデジタル放送を録画し、録画したファイルを再生する録画再生装置において、視聴中サービス以外のサービスに記録不可のサービスが存在した場合、少なくとも、記録不可のサービスを再生できなくする必要がある。
【０００４】
特許文献１で開示している手法は、視聴中サービス以外のＴＳパケットのＴＳヘッダのみを記録し、再生時に、そのＴＳパケットをヌルパケットとして復元する手法であるが、録画ファイルのデータ列は、固定長（１８８バイト）ＴＳパケットの連続でないので、録画ファイルの途中から再生する際のＴＳパケット抽出が困難であるという問題があった。
【０００５】
また。特許文献１で開示している手法は、特殊な再生アルゴリズムを必要とし、録画ファイルとしての互換性（汎用性）に関して問題があった。
【０００６】
本発明の目的は、上記課題を解決し、複数サービスが多重されたデジタル放送を録画し、録画したファイルを再生する録画再生装置において、視聴中サービス以外のサービスに記録不可のサービスが存在した場合、記録不可のサービスを再生できなくする録画再生装置を提供することにある。
【課題を解決するための手段】
【０００７】
本願において開示される発明のうち、代表的なものの概要を簡単に説明すれば、次のとおりである。
【０００８】
上記課題を解決するため、本発明は、複数サービスが多重されたデジタル放送を録画し、録画したファイルを再生する録画再生装置において、無効化パケットデータ保存部を付加し、複数サービスが多重されたデジタル放送を受信し録画する際、視聴中サービス以外のＴＳパケットを、無効化パケットデータ保存部に保存されている無効化パケットデータに置換して録画する。そのため、特殊な再生アルゴリズムを用いることなく、再生できる。
【発明の効果】
【０００９】
本願において開示される発明のうち、代表的なものによって得られる効果を簡単に説明すれば以下のとおりである。
【００１０】
本発明によれば、複数サービスが多重されたデジタル放送を録画し、録画したファイルを再生する録画再生装置において、複数サービスが多重されたデジタル放送を受信し録画する際、視聴中サービス以外のＴＳパケットを、無効化パケットデータに置換して録画するので、視聴中サービス以外のサービスに記録不可のサービスが存在した場合、特殊な再生アルゴリズムを用いることなく記録不可のサービスが再生できない録画再生装置を提供することができる。
【発明を実施するための最良の形態】
【００１１】
以下、本発明の実施の形態を図面に基づいて詳細に説明する。尚、実施の形態を説明するための全図において、同一の部材には原則として同一の符号を付し、その繰り返しの説明は省略する。
【００１２】
まず、図８により、本発明の一実施の形態に係る録画再生装置で使用されるＭＰＥＧ−ＴＳの構造について説明する。図８は本発明の一実施の形態に係る録画再生装置で使用されるＭＰＥＧ−ＴＳの構造を説明するための説明図である。
【００１３】
デジタル放送を受信し録画する録画再生装置（一般的にレコーダと呼ばれている）は、デジタル放送であるＭＰＥＧ−ＴＳ（Ｍｏｔｉｏｎ  Ｐｉｃｔｕｒｅ  Ｅｘｐｅｒｔｓ  Ｇｒｏｕｐ−Ｔｒａｎｓｐｏｒｔ  Ｓｔｒｅａｍ）をそのまま（圧縮したまま）録画したり、録画したファイルを再生したりすることができる。
【００１４】
このＭＰＥＧ−ＴＳの構造は図８に示すようになっている。
【００１５】
図８において、図８（Ａ）は、放送局から送信されるＭＰＥＧ−ＴＳの構造であり、複数のＴＳパケット（１８８バイト）から構成され、各ＴＳパケットの内容は、図８（Ｂ）に示すように、４バイトのＴＳヘッダと、１８４バイトのペイロードから構成されている。
【００１６】
尚、ペイロードの領域に関しては、ペイロードのみの場合、アダプテーションフィルドのみの場合、アダプテーションフィルドとペイロードの両方が存在する場合があるが、本発明の係わりから、ペイロードのみの場合に限定する。
【００１７】
４バイトのＴＳヘッダは、図８（Ｃ）に示すように、８ビットの同期バイト、３ビットのフラグ類、１３ビットのＰＩＤ（Ｐａｃｋｅｔ  Ｉｄｅｎｔｉｆｉｅｒ：パケットＩＤ（識別子））、８ビットの制御ビット類で構成され、更に８ビットの制御ビット類は、図８（Ｄ）に示すように、２ビットのスクランブル制御、２ビットのアダプテーション制御、４ビットの巡回カウンタに分けられる。
【００１８】
デジタル放送においては、同一チャンネルに複数のサービス（放送）が多重されて放送されることがあり、視聴者は、任意にサービス（放送）を選択することができる。
【００１９】
複数サービスが多重されたデジタル放送は、ＰＳＩ（Ｐｒｏｇｒａｍ  Ｓｐｅｃｉｆｉｃ  Ｉｎｆｏｒｍａｔｉｏｎ：番組特定情報、後述するＮＩＴ、ＰＭＴを含む）であるＮＩＴ（Ｎｅｔｗｏｒｋ  Ｉｎｆｏｒｍａｔｉｏｎ  Ｔａｂｌｅ：ネットワーク情報テーブル）に、サービス数分のサービスＩＤ（各サービスに割り当てられる識別値）が指定されている。
【００２０】
ＮＩＴが格納されたＴＳパケットかどうかは、ＴＳパケットのＰＩＤが０ｘ００１０であるかどうかで判断する（ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人電波産業会）標準規格）。
【００２１】
このＮＩＴ指定されたサービスＩＤに該当するＰＭＴ（Ｐｒｏｇｒａｍ  Ｍａｐ  Ｔａｂｌｅ：番組を構成する各符号化信号を伝送するＴＳパケットのＰＩＤを定義する）にて、映像、音声、字幕、データ、ＰＣＲ（Ｐｒｏｇｒａｍ  Ｃｌｏｃｋ  ｒｅｆｅｒｅｎｃｅ：番組基準クロック）の各ＥＳ（Ｅｌｅｍｅｎｔａｒｙ  Ｓｔｒｅａｍ：基本ストリーム）のＰＩＤが確定する。
【００２２】
サービスＩＤに該当するＰＭＴとは、ＮＩＴで指定されたサービスＩＤと一致するサービスＩＤを有するＰＭＴであり、１セグ放送の場合、サービスＩＤの下位３ビットが、ＰＭＴが格納されたＴＳパケットのＰＩＤの下位３ビットと一致している。
【００２３】
このＰＭＴで確定している各ＥＳのＰＩＤを用いて、ＭＰＥＧ−ＴＳの中から、ＴＳパケットのＴＳヘッダ内にあるＰＩＤと比較して、該当する各ＥＳのＴＳパケットを抽出する。
【００２４】
また、各サービスのＰＭＴには、デジタルコピー制御が独立に設定されており、視聴中サービスが記録できるかどうか規定されている。
【００２５】
記録できるかどうかの判断は、ＰＭＴに格納されているデジタルコピー制御記述子のパラメータにより行なう（詳細については、ＡＲＩＢ標準規格を参照）。
【００２６】
視聴中のサービスが記録不可のサービスの場合、録画することはできない（一時保存として、９０分間の録画は可能である）。
【００２７】
視聴中のサービスが記録可（「制約条件無しにコピー可」等）である場合は、録画をすることができるが、視聴中サービス以外のサービスに記録不可のサービスが存在した場合、少なくとも、記録不可のサービスを再生できなくする必要がある。
【００２８】
次に、図１により、本発明の一実施の形態に係る録画再生装置の内部構成について説明する。図１は本発明の一実施の形態に係る録画再生装置の内部構成を示す概略ブロック図であり、一例としてデジタル放送受信機能付き携帯端末１００を示している。
【００２９】
制御部１０１は、ＣＰＵ（Ｃｅｎｔｒａｌ  Ｐｒｏｃｅｓｓｉｎｇ  Ｕｎｉｔ）等により構成され、携帯端末１００全体に制御を行なう。操作部１０２は、番号キーやファンクションキーを含む複数のキーから構成され、ユーザ（視聴者）からの指示を受け付ける。選局部１０３は、放送用受信アンテナ１０４を介して受信したデジタル放送を選局するためのチューナであり、受信したデジタルを復調し、デジタルデータを出力する。無線通信部１０５は、通信用送受信アンテナ１０６を介して、ＣＤＭＡ（Ｃｏｄｅ  Ｄｉｖｉｓｉｏｎ  Ｍｕｌｔｉｐｌｅ  Ａｃｃｅｓｓ）モデム等の無線通信を行なうモデムである。
【００３０】
制御部１０１の動作プログラム等を保存する記憶部１０７と、受信したデジタル放送番組を録画保存する録画ファイル記録部１０８は、それぞれ別のＲＡＭ（Ｒａｎｄｏｍ  Ａｃｃｅｓｓ  Ｍｅｍｏｒｙ）等のメモリであっても良いし、１つのメモリの中に記憶部１０７と録画ファイル記録部１０８を混在させても良い。また、メモリカードなどの取り外し可能な外部記憶媒体を用いるようにしても良い。例えば、録画ファイル記録部１０８を外部記憶媒体とし、記憶部１０７をＲＡＭで構成するようにしても良い。録画ファイル記録部１０８を外部記憶媒体とし、複数の媒体を取り替えて用いることができるようにすることにより、多くのデジタル放送番組データを録画することができる。
【００３１】
映像復号部１０９は、圧縮された映像データを復号するデコーダであり、表示部１１０は、映像復号部１０９で復号された映像を表示する液晶モニタ等のディスプレイである。音声復号部１１１は、圧縮された音声データを復号するデコーダであり、音声出力部１１２は、音声復号部１１１で復号された音声を出力するスピーカである。
【００３２】
尚、表示部１１０をユーザがペンや指を用いてディスプレイの画面を触れることにより、文字や数字、ユーザ指示を入力可能なタッチパネル方式にしても良い。これにより、ユーザは、使用状況や入力する情報に応じて、操作部１０２あるいは表示部１１０を使い分けることができる。また、携帯端末を小型化するために、操作部１０２を省略しても良い。
【００３３】
デジタル放送を放送用受信アンテナ１０４及び選局部１０３を介して受信すると、記憶部１０７に一時保存する。一時保存されたデジタル放送データは、制御部１０１の制御で、圧縮映像データと、圧縮音声データに、分離する。圧縮映像データは、映像復号部１０９にて復号し、表示部１１０に表示する。また、圧縮音声データは、音声復号部１１１にて復号し、音声出力部１１２にて音声として出力する。
【００３４】
内部タイマ１１３は、本携帯端末１００の基本クロックである２７ＭＨｚのクロックをカウントするタイマであり、デジタル放送の放送局とデジタル放送を受信する受信端末との同期や、表示する映像データと出力する音声データとの同期等に使用される。
【００３５】
デジタル放送番組を録画する場合は、デジタル放送のデジタルデータ（ＴＳフォーマット）を録画ファイル記録部１０８に保存する。
【００３６】
無効化パケット保存部１１４に保存されているデータは、無効化パケットデータであり、必要に応じて、制御部１０１の制御により読み出され、受信したＴＳパケットと置換して、録画ファイル記録部１０８に記録される。
【００３７】
通信用送受信アンテナ１０６及び無線通信部１０５を介して受信したデジタルデータは、制御部１０１により、データを分離し、メール等の文字データの場合は表示部１１０にて表示し、通話等の音声データの場合は、音声出力部１１２にて音声として出力する。また、制御部１０１の制御により、記憶部１０７等に保存されたデータを読み出し、通信用送受信アンテナ１０６及び無線通信部１０５を介してデジタルデータとして送信する。デジタル放送の番組表である電子番組ガイド（ＥＰＧ：Ｅｌｅｃｔｒｏｎｉｃ  Ｐｒｏｇｒａｍ  Ｇｕｉｄｅ）等も、この通信回線を利用して入手する。
【００３８】
図１では、映像と音声のＥＳについてのみ記載している（字幕とＰＣＲについては、省略している）。
【００３９】
尚、図１の例では、無効化パケット保存部１１４を記憶部１０７とは別に設けているが、これに限定するものではなく、記憶部１０７に内蔵しても良い。
【００４０】
次に、図２により、本発明の一実施の形態に係る録画再生装置のデジタル放送受信視聴時のデータの流れについて説明する。図２は本発明の一実施の形態に係る録画再生装置のデジタル放送受信視聴時のデータの流れを示すブロック図である。
【００４１】
デジタル放送は、放送用受信アンテナ１０４を介して受信し、選局部１０３にて選局される。選局されたデジタル放送は、ＴＳフォーマットのまま、記憶部１０７内のＴＳバッファ２０１に一時保存する。
【００４２】
ＴＳバッファ２０１に一時保存されたＴＳデータは、ＴＳデータを分離する制御部１０１の制御によるデマルチプレクス部であるＤＥＭＵＸ部２０２により、映像データのＰＥＳ（Ｐａｃｋｅｔｉｚｅｄ  Ｅｌｅｍｅｎｔａｒｙ  Ｓｔｒｅａｍ：パケット化ストリーム）と音声データのＰＥＳに分離され、映像データのＰＥＳは、記憶部１０７内の映像ＥＳバッファ２０３に、音声データのＰＥＳは、記憶部１０７内の音声ＥＳバッファ２０４に、各々格納される。
【００４３】
映像ＥＳバッファ２０３に格納された映像データは、映像復号部１０９で復号され、表示部１１０で表示され、音声ＥＳバッファ２０４に格納された音声データは、音声復号部１１１で復号され、音声出力部１１２から音声として出力される。
【００４４】
携帯端末向けの１セグ放送の映像圧縮符号化は、Ｈ．２６４（ＭＰＥＧ−４  ｐａｒｔ１０  ＡＶＣ／Ｈ．２６４国際標準化機構／国際電気技術委員会（ＩＳＯ／ＩＥＣ）の動画専門家グループ（ＭＰＥＧ）と国際電気通信連合（ＩＴＵ）の動画符号化専門家グループ（ＶＣＥＧ）との間で共同開発された高度な符号化及び復号化技術）に基づいており、ＩＤＲ（Ｉｎｓｔａｎｔａｎｅｏｕｓ  Ｄｅｃｏｄｅｒ  Ｒｅｆｒｅｓｈ：デコード復号動作の瞬時リフレッシュ）のイントラピクチャ（画面内符号化のピクチャ）からのみ正しく復号できるようになっている。
【００４５】
このＩＤＲピクチャの情報（ファイル先頭からの位置情報やＰＴＳ（Ｐｒｅｓｅｎｔａｔｉｏｎ  Ｔｉｍｅ  Ｓｔａｍｐ：再生タイムスタンプ）情報等）は、録画ファイルの途中から再生する際の重要な情報なっており、シーク等の特殊再生を行う場合の必要な情報である。
【００４６】
本実施の形態では、デジタル放送受信開始からこのＩＤＲ情報を記憶部１０７内のＩＤＲ情報保存部２０５に順次保存している。このＩＤＲ情報は、復号エラーの無いＩＤＲに限定することもできる。
【００４７】
ＩＤＲ情報保存部２０５に保存する情報は、ＩＤＲピクチャを含むアクセス・ユニットであるＩＤＲアクセス・ユニットに関する情報であり、ファイル先頭からのＴＳパケット番号、ＰＴＳ（Ｐｒｅｓｅｎｔａｔｉｏｎ  Ｔｉｍｅ  Ｓｔａｍｐ：表示時刻情報）、ファイル先頭からの経過時間、ＩＤＲピクチャを表示するのに必要なＴＳパケット数、等から構成されている。
【００４８】
図２における無効化パケット保存部１１４は、例えば、無効化パケットデータとして、ヌルパケットを用いている。以下の説明においては、無効化パケット保存部１１４に保存されている無効化パケットデータとしてヌルパケットを用いる例で説明する。
【００４９】
このヌルパケットのデータ内容を表１に示す。
【００５０】
【表１】
2008061061.tif 000003
【００５１】
ヌルパケットの先頭バイトである同期バイトは、固定値である０ｘ４７（全てのＴＳパケットの先頭バイトは、この固定値である（ビット表記では０１０００１１１ｂ））を設定している。
【００５２】
続く３ビットのフラグ類と１３ビットのＰＩＤは、２バイト表記で０ｘ１ＦＦＦ（フラグ類は０で、ＰＩＤはヌルパケットを意味する固定値０ｘ１ＦＦＦである（ビット表記では０００１１１１１１１１１１１１１ｂ））を設定している。
【００５３】
８ビットの制御ビット類は、固定値０ｘ１Ｆ（２ビットのスクランブル制御は、スクランブルが無いことを示す００ｂ，２ビットのアダプテーション制御は、ＴＳパケットにおけるＴＳヘッダ以降のデータがペイロードのみの場合を意味する０１ｂ、４ビットの巡回カウンタは、固定値１１１１ｂ）を設定している。
【００５４】
巡回カウンタは、ヌルパケットに置換する毎に、１ずつ加算しても良いが、本実施の形態では、固定値（０ｘＦ）としている。
【００５５】
録画する場合、ＴＳバッファ２０１内の視聴中サービスのＴＳデータはそのまま、視聴中サービス以外のＴＳパケットは、無効化パケット保存部１１４のヌルパケットに置換して、録画ファイル記録部１０８に録画ファイルとして記録する。また、ＩＤＲ情報保存部２０５の中から録画ファイルに有効なＩＤＲピクチャの情報（ファイル先頭からの位置情報等）も併せて録画ファイル記録部１０８に保存する。
【００５６】
このヌルパケットが記録された録画ファイルを再生する場合は、ＴＳパケットのＰＩＤが０ｘ１ＦＦＦであるので、ヌルパケットであると判断し、無効パケットとして、読み飛ばして再生する。
【００５７】
図２では、映像と音声のＥＳについてのみ記載している（字幕とＰＣＲについては、省略している）。
【００５８】
次に、図３により、本発明の一実施の形態に係る録画再生装置の録画シーケンスの手順について説明する。図３は本発明の一実施の形態に係る録画再生装置の録画シーケンスの手順を示すフローチャートである。
【００５９】
図３に示す録画シーケンスは、デジタル放送が選局され、デジタル放送のＭＰＥＧ−ＴＳが制御部１０１にて解析可能な状態であることが前提となっている。
【００６０】
録画シーケンスは、開始（ステップ３０１）して、バッファメモリ等のメモリ確保、タイマの設定、ＴＳバッファ２０１の書き込みポインタの設定、ＴＳバッファ２０１の読み出しポインタの設定、等の初期設定（ステップ３０２）を行なう。
【００６１】
後述する録画開始準備処理（ステップ３０３）では、デジタル放送を受信開始し表示すると共に、いつ録画開始が行われても対応できるように、録画開始の準備を行なう。
【００６２】
ステップ３０４にて、録画開始を待つ。
【００６３】
ステップ３０４で、録画が開始されない場合は、ステップ３０３の録画開始準備処理を継続する。
【００６４】
ステップ３０４で、録画が開始された場合は、後述する録画開始のための処理である録画開始処理（ステップ３０５）を行なう。
【００６５】
ステップ３０６で、録画開始処理（ステップ３０４）でエラーが発生したかどうかを判断する。
【００６６】
ステップ３０６で、エラーが無いと判断した場合は、後述する録画中処理（ステップ３０７）に移行する。
【００６７】
ステップ３０８で、録画中処理（ステップ３０７）でエラーが発生したかどうかを判断する。
【００６８】
ステップ３０８で、エラーが無いと判断した場合は、ステップ３０９にて録画終了を待つ。
【００６９】
ステップ３０９で、録画が終了されない場合は、ステップ３０７の録画中処理を継続する。
【００７０】
ステップ３０９で、録画が終了した場合は、後述する録画終了処理（ステップ３１０）に移行する。
【００７１】
ステップ３１１で、録画終了処理（ステップ３１０）でエラーが発生したかどうかを判断する。
【００７２】
ステップ３１１で、エラーが無いと判断した場合は、録画シーケンスを終了する（ステップ３１２）。
【００７３】
ステップ３０６、ステップ３０８、ステップ３１１で、エラーがあると判断した場合は、個々の処理に対応したエラー処理を行ない（ステップ３１３）、終了する（ステップ３１２）。
【００７４】
次に、図４により、本発明の一実施の形態に係る録画再生装置の録画開始準備処理のシーケンスの手順について説明する。図４は本発明の一実施の形態に係る録画再生装置の録画開始準備処理のシーケンスの手順を示すフローチャートである。
【００７５】
録画開始準備処理は、開始（ステップ４０１）して、デジタル放送であるＴＳパケットを取得（ステップ４０２）し、ＴＳバッファ２０１に保存（ステップ４０３）する。
【００７６】
ＴＳパケットが保存されたら、ＴＳバッファ２０１への書き込みポインタを更新（ステップ４０４）し、次のＴＳパケットの取得に備える。
【００７７】
ステップ４０５にて、取得したＴＳパケットのデータが、ＩＤＲピクチャ（ＩＤＲ画像）であるかどうかを判断する。
【００７８】
ステップ４０５で、ＩＤＲ画像でない場合は、処理を終了する（ステップ４０６）。
【００７９】
ステップ４０５で、ＩＤＲ画像であった場合は、ＩＤＲ画像の位置情報等のＩＤＲ情報をＩＤＲ情報保存部２０５に保存（ステップ４０７）し、処理を終了する（ステップ４０６）。
【００８０】
次に、図５により、本発明の一実施の形態に係る録画再生装置の録画開始処理のシーケンスの手順について説明する。図５は本発明の一実施の形態に係る録画再生装置の録画開始処理のシーケンスの手順を示すフローチャートである。
【００８１】
録画開始処理は、開始（ステップ５０１）してすぐ、現在表示されている表示画面を表示するためのＩＤＲ画像の情報を、ＩＤＲ情報保存部２０５に保存されているＩＤＲ情報の中から遡って検索（ステップ５０２）する。
【００８２】
ステップ５０３にて、ＩＤＲ情報保存部２０５に保存されているＩＤＲ情報の中に該当するＩＤＲ情報が存在したかどうかを判断する。
【００８３】
ステップ５０３で、該当するＩＤＲ情報が存在した場合は、そのＩＤＲ情報の中から位置情報を抽出し、ＴＳバッファ２０１の読み出しポインタを設定（ステップ５０４）し、終了する（ステップ５０５）。
【００８４】
ステップ５０３で、該当するＩＤＲ情報が存在しなかった場合は、録画開始エラーを設定（ステップ５０６）し、終了する（ステップ５０５）。
【００８５】
次に、図６により、本発明の一実施の形態に係る録画再生装置の録画中処理のシーケンスの手順について説明する。図６は本発明の一実施の形態に係る録画再生装置の録画中処理のシーケンスの手順を示すフローチャートである。
【００８６】
録画中処理は、開始（ステップ６０１）して、デジタル放送が受信でき、ＴＳパケットが取得できた場合は、図４に示す録画開始準備処理と同等の処理（ステップ６０２）であるステップ６０２からステップ６０７を行ない、取得したＴＳパケットをＴＳバッファ２０１に保存する（図４と同等の処理については、説明を省略する）。
【００８７】
取得したＩＤＲ情報に基づき、ＴＳバッファ２０１内を遡って読み出している場合は、ＴＳパケットの取得を待つ必要は無い。
【００８８】
ＴＳバッファ２０１から、ＴＳバッファ２０１の読み出しポインタに従ってＴＳパケットを読み出し（ステップ６０８）、該当するＰＩＤを有するＴＳパケットかどうかを判断する（ステップ６０９）。
【００８９】
ステップ６０９で判断する該当するＰＩＤとは、視聴中サービスの映像、音声、字幕、データ、ＰＣＲの各ＥＳを識別するためのＰＩＤである。
【００９０】
複数サービスが多重されたデジタル放送は、ＰＳＩ（Ｐｒｏｇｒａｍ  Ｓｐｅｃｉｆｉｃ  Ｉｎｆｏｒｍａｔｉｏｎ：番組特定情報、後述するＮＩＴ、ＰＭＴを含む）であるＮＩＴ（Ｎｅｔｗｏｒｋ  Ｉｎｆｏｒｍａｔｉｏｎ  Ｔａｂｌｅ：ネットワーク情報テーブル）に、サービス数分のサービスＩＤ（各サービスに割り当てられる識別値）が指定されている。
【００９１】
ＮＩＴが格納されたＴＳパケットかどうかは、ＴＳパケットのＰＩＤが０ｘ００１０であるかどうかで判断する（ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人電波産業会）標準規格）。
【００９２】
複数サービスの中から１個のサービスを選択することは、このサービスＩＤを選択し、このサービスに該当するＰＭＴ（Ｐｒｏｇｒａｍ  Ｍａｐ  Ｔａｂｌｅ：番組を構成する各符号化信号を伝送するＴＳパケットのＰＩＤ）を確定させ、ＰＭＴの中から映像、音声、字幕、データ、ＰＣＲ（Ｐｒｏｇｒａｍ  Ｃｌｏｃｋ  ｒｅｆｅｒｅｎｃｅ：番組基準クロック）の各ＥＳ（Ｅｌｅｍｅｎｔａｒｙ  Ｓｔｒｅａｍ：基本ストリーム）のＰＩＤを取得することを意味している。
【００９３】
サービスＩＤに該当するＰＭＴとは、ＮＩＴで指定されたサービスＩＤと一致するサービスＩＤを有するＰＭＴであり、１セグ放送の場合、サービスＩＤの下位３ビットが、ＰＭＴが格納されたＴＳパケットのＰＩＤの下位３ビットと一致している。
【００９４】
このＰＭＴで確定して各ＥＳのＰＩＤを用いて、ＭＰＥＧ−ＴＳの中から、ＴＳパケットのＴＳヘッダ内にあるＰＩＤと比較して、該当する各ＥＳのＴＳパケットを抽出する。
【００９５】
視聴中サービスを録画し、再生するためには、視聴中サービスの各ＥＳが録画され、視聴中サービス以外のＥＳが録画されていなければ良いので、視聴中サービスのＰＭＴの中に設定されている映像、音声、字幕、データ、ＰＣＲの各ＥＳのＰＩＤと一致したＰＩＤのＴＳパケットを録画し、それ以外ＰＩＤのＴＳパケットを無効化する。
【００９６】
本実施の形態では、該当するＰＩＤとして、視聴中サービスの各ＥＳのＰＩＤのみならず、表２に示すＰＳＩ（Ｐｒｏｇｒａｍ  Ｓｐｅｃｉｆｉｃ  Ｉｎｆｏｒｍａｔｉｏｎ：番組特定情報。）とＳＩ（Ｓｅｒｖｉｃｅ  Ｉｎｆｏｒｍａｔｉｏｎ：番組配列情報）のＰＩＤも加えている。
【００９７】
【表２】
2008061061.tif 000004
【００９８】
尚、表２における各ＰＩＤの値は、ＡＲＩＢ標準規格により、規定されている。
【００９９】
ステップ６０９で、該当するＰＩＤと一致するＰＩＤのＴＳパケットであると判断した場合は、ステップ６１０移行し、そのＴＳパケットに変更を加えずそのまま録画ファイル記録する。
【０１００】
ステップ６０９で、該当するＰＩＤと一致するＰＩＤのＴＳパケットでないと判断した場合は、無効化パケット保存部１１４に保存されているヌルパケット（表１に記載）と置換（ステップ６１１）して、録画ファイルに記録する（ステップ６１０）。
【０１０１】
ステップ６１２で、録画ファイル記録時にエラーがあったかどうかを判断する。
【０１０２】
ステップ６１２で、録画ファイル記録時にエラーが無かった場合は、ＴＳバッファ２０１の読み出しポインタを更新（ステップ６１３）し、終了する（ステップ６１４）。
【０１０３】
ステップ６１２で、録画ファイル記録時にエラーがあった場合は、記録エラーを設定（ステップ６１５）し、終了する（ステップ６１４）。
【０１０４】
次に、図７により、本発明の一実施の形態に係る録画再生装置の録画終了処理のシーケンスの手順について説明する。図７は本発明の一実施の形態に係る録画再生装置の録画終了処理のシーケンスの手順を示すフローチャートである。
【０１０５】
図７に示す録画終了処理のシーケンスは、録画終了指示を受けた時点で、まだ録画ファイルに記録されていないＴＳパケットが存在している場合を想定している。
【０１０６】
録画終了処理は、開始（ステップ７０１）して、ＴＳバッファ２０１からＴＳパケットを読み出し（ステップ７０２）、該当するＰＩＤ（視聴中サービスのＰＭＴの中に設定されている映像、音声、字幕、データの各ＥＳのＰＩＤ）を有するＴＳパケットかどうかを判断する（ステップ７０３）。
【０１０７】
ステップ７０３で、該当するＰＩＤと一致するＰＩＤのＴＳパケットであると判断した場合は、ステップ７０４に移行し、そのＴＳパケットに変更を加えずそのまま録画ファイル記録する。
【０１０８】
ステップ７０３で、該当するＰＩＤと一致するＰＩＤのＴＳパケットでないと判断した場合は、無効化パケット保存部１１４に保存されているヌルパケット（表１に記載）と置換（ステップ７０５）して、録画ファイルに記録する（ステップ７０４）。
【０１０９】
ステップ７０６で、録画ファイル記録時にエラーがあったかどうかを判断する。
【０１１０】
ステップ７０６で、録画ファイル記録時にエラーが無かった場合は、ＴＳバッファ２０１の読み出しポインタを更新（ステップ７０７）し、ステップ７０８へ移行する。
【０１１１】
ステップ７０８で、録画ファイルに記録すべきＴＳパケットが存在しているかどうかを判断する。
【０１１２】
ステップ７０８で、録画ファイルに記録すべきＴＳパケットが存在している場合は、ステップ７０２に移行し、ＴＳバッファ２０１からのＴＳパケット読み出しからの処理を継続する。
【０１１３】
ステップ７０８で、録画ファイルに記録すべきＴＳパケットが存在していない場合（録画すべきＴＳパケットを全て録画した場合）は、処理を終了する（ステップ７０９）。
【０１１４】
ステップ７０６で、録画ファイル記録時にエラーがあった場合は、記録エラーを設定（ステップ７１０）し、処理を終了する（ステップ７０９）。
【０１１５】
本実施の形態では、該当するＰＩＤを有するＴＳパケット以外のＴＳパケットをヌルパケットと置換したが、所定のＰＩＤを有するＴＳパケットをヌルパケットと置換しても、同様な効果を得ることができる。
【０１１６】
複数サービスが多重されたデジタル放送を録画し、録画したファイルを再生する録画再生装置において、視聴中サービス以外のサービスに記録不可のサービスが存在した場合、少なくとも、記録不可のサービスを再生できなくする手法には、上記の他に、以下の手法も存在する。
（１）記録不可のデジタルコピー制御記述子を有するＰＭＴのみ、無効化パケットデータと置換する。
（２）記録不可のデジタルコピー制御記述子を有するＰＭＴと、そのＰＭＴで規定されている各ＥＳを、無効化パケットデータと置換する。
（３）記録不可のデジタルコピー制御記述子を有するＰＭＴで規定されている各ＥＳを、無効化パケットデータと置換する。
（４）視聴中サービス以外のＰＭＴを、無効化パケットデータと置換する。
（５）視聴中サービス以外のＰＭＴと、そのＰＭＴで規定されている各ＥＳを、無効化パケットデータと置換する。
（６）視聴中サービス以外のＰＭＴで規定されている各ＥＳを、無効化パケットデータと置換する。
【０１１７】
尚、（２）（３）（５）（６）において、置換すべき各ＥＳのＰＩＤが、視聴中の各ＥＳのＰＩＤと同じ場合は、視聴中サービスが記録可能であれば、無効化パケットデータと置換しないで録画する。
【０１１８】
何れの手法においても、本発明の無効化パケットデータと置換することには変わらない。
【０１１９】
以上説明した実施の形態は、携帯端末１００に対する実施の形態であるが、据置型の固定受信装置でも本発明が適用できることは自明である。
【０１２０】
また、上記実施の形態では、無線通信網を用いたが、有線通信網を利用することもできる。
【０１２１】
デジタル放送には、地上波によるデジタル放送や、人工衛星を介したデジタル放送があるが、無線によるデジタル放送であることについては同じであり、本発明が適用できる。
【０１２２】
尚、携帯端末は、ユーザが保持するものだけに限られず、自動車に搭載する車載用途の携帯端末を含むものである。
【０１２３】
また、以上の実施の形態では、予め用意した無効化パケットと置換しているが、無効化すべきＴＳパケット毎に、その都度、無効化パケットを生成したり、無効化すべきＴＳパケットのＰＩＤ値のみをヌルパケットを意味する値である０ｘ１ＦＦＦに置換しても良い。
【図面の簡単な説明】
【０１２４】
【図１】本発明の一実施の形態に係る録画再生装置の内部構成を示す概略ブロック図である。
【図２】本発明の一実施の形態に係る録画再生装置のデジタル放送受信視聴時のデータの流れを示すブロック図である。
【図３】本発明の一実施の形態に係る録画再生装置の録画シーケンスの手順を示すフローチャートである。
【図４】本発明の一実施の形態に係る録画再生装置の録画開始準備処理のシーケンスの手順を示すフローチャートである。
【図５】本発明の一実施の形態に係る録画再生装置の録画開始処理のシーケンスの手順を示すフローチャートである。
【図６】本発明の一実施の形態に係る録画再生装置の録画中処理のシーケンスの手順を示すフローチャートである。
【図７】本発明の一実施の形態に係る録画再生装置の録画終了処理のシーケンスの手順を示すフローチャートである。
【図８】本発明の一実施の形態に係る録画再生装置で使用されるＭＰＥＧ−ＴＳの構造を説明するための説明図である。
【符号の説明】
【０１２５】
１００…携帯端末、１０１…制御部、１０２…操作部、１０３…選局部、１０４…放送用受信アンテナ、１０５…無線通信部、１０６…通信用送受信アンテナ、１０７…記憶部、１０８…録画ファイル記録部、１０９…映像復号部、１１０…表示部、１１１…音声復号部、１１２…音声出力部、１１３…内部タイマ、１１４…無効化パケット保存部、２０１…ＴＳバッファ、２０２…ＤＥＭＵＸ部、２０３…映像ＥＳバッファ、２０４…音声ＥＳバッファ、２０５…ＩＤＲ情報保存部。
【図１】
2008061061.tif 000005
【図２】
2008061061.tif 000006
【図３】
2008061061.tif 000007
【図４】
2008061061.tif 000008
【図５】
2008061061.tif 000009
【図６】
2008061061.tif 000010
【図７】
2008061061.tif 000011
【図８】
2008061061.tif 000012